(57)【要約】【課題】部品寸法がばらついた場合でもピンなどの異物が挿入された時に扉が開のを確実に防止したコンセントを提供する。【解決手段】器体１内には、コンセント口５の２個の接触子挿入口５ａを両端部で開閉自在に閉塞し且つ接触子挿入口５ａに挿入される接触子によって開けられる扉３０が収納されている。扉３０にはスライド移動方向と略直交する平面内で中枠５０に対してシーソー動作自在に支持される支点部が形成される。この支点部を支点にして扉３０が傾いた時に、器体１の前壁の裏面側に近付いた方の扉３０の一端部と当接して扉３０のスライド移動を規制する規制リブがカバー３前壁の裏側面に形成されており、この規制リブの突出量は、支点部を支点にして扉３０が傾いた状態で規制リブが当接する扉３０の部位とカバー３の前壁の裏側面との間隔の許容寸法範囲の最大値よりも大きな寸法に設定してある。【選択図】図１
2005032595.tif 000002
【特許請求の範囲】
【請求項１】
形状の異なる複数種類の接触子がそれぞれ挿入可能な２個の接触子挿入口からなるコンセント口が前壁に設けられた器体と、器体の内部に収納されて、接触子挿入口を通して挿入される接触子に接触導通する刃受け部材を含む充電部と、器体の内部に収納されて、２個の接触子挿入口を開閉自在に閉塞し且つ接触子挿入口に挿入される接触子によって開けられる扉と、器体の前壁の裏側面に対向するように器体内部に収納され、２個の接触子挿入口を結ぶ線と略直交し且つ器体の前面と略平行な方向において扉をスライド移動自在に支持する中枠とを備え、２個の接触子挿入口の中間部に対応する扉の部位に、スライド移動方向と略直交する平面内で中枠に対して揺動自在に支持される支点部を形成し、当該支点部を支点にして扉が傾いた時に、支点部を挟んだ扉の両端部の内、器体の前壁の裏面側に近付いた方の一端部と当接して扉のスライド移動を規制する第１の規制リブを器体の前壁の裏側面に設けて成り、支点部を支点にして扉が傾いた状態で第１の規制リブが当接する扉の部位と器体の前壁の裏側面との間隔の許容寸法範囲の最大値よりも、第１の規制リブの前記前壁の裏側面からの突出量をより大きな寸法に設定したことを特徴とするコンセント。
【請求項２】
上記支点部を支点にして扉が傾いた時に、支点部を挟んだ扉の両端部の内、器体の前壁の裏側面から遠ざかった方の他端部と当接して扉のスライド移動を規制する第２の規制リブを中枠における器体の前壁の裏側面と対向する面に設けたことを特徴とする請求項１記載のコンセント。
【請求項３】
接地極を含む３つの接触子がそれぞれ挿入される３個の接触子挿入口からなるコンセント口が前壁に設けられた器体と、器体の内部に収納されて、接触子挿入口を通して挿入される接触子に接触導通する刃受け部材を含む充電部と、器体の前面と略平行な方向においてスライド移動自在に支持され、３個の接触子挿入口を開閉自在に閉塞し且つ接触子挿入口に挿入される接触子によって開けられる扉とを備え、当該扉が接触子挿入口を閉塞している状態で、電圧極の接触子挿入口を閉塞する扉の部位に、器体の前面と平行な平面内で電圧極の接触子挿入口の内壁面よりも外側に突出する張出部を設けたことを特徴とするコンセント。
【発明の詳細な説明】
【技術分野】
【０００１】
本発明は、コンセントに関するものである。
【背景技術】
【０００２】
従来より、プラグの栓刃が挿入される２個の接触子挿入口からなるコンセント口を前面に備える器体の内部に、接触子挿入口から挿入される栓刃が接続される刃受け部材と、２個の触子挿入口を開閉自在に閉塞し且つ接触子挿入口に挿入される栓刃によって開けられる扉とを収納したコンセントが提供されている。この扉は、器体の前面と平行な方向においてスライド移動自在に保持されており、付勢ばねによって接触子挿入口を閉塞する方向に付勢され、接触子挿入口に栓刃が挿入されていない状態では接触子挿入口を閉塞している。一方、２個の接触子挿入口から挿入される栓刃によって扉が均一に押されると、栓刃による押力が栓刃をスライド移動させる力に変換されて、扉が付勢ばねのばね力に抗してスライド移動し、接触子挿入口が開けられる（例えば特許文献１参照）。
【０００３】
また従来より、接地極を含む３つの平型栓刃が挿入される３個の接触子挿入口からなる３極の所謂Ｏタイプのコンセント口を器体の前面に備え、この器体の内部に、接触子挿入口から挿入される栓刃が接続される刃受け部材と、器体の前面に沿ってスライド移動自在に配置され、３個の触子挿入口を開閉自在に閉塞し且つ接触子挿入口に挿入される栓刃によって開けられる扉とを収納したコンセントも提供されている。
【特許文献１】特開２０００−３１５５３８号公報
【発明の開示】
【発明が解決しようとする課題】
【０００４】
上述した前者のコンセントでは、２個の接触子挿入口の内の片側のみに接触子やピンなどの異物が挿入されて扉の片側のみが押されると、扉が器体の前面に対してやや傾斜し、扉の両端部の内、器体の前壁に近付いた方の一端部が器体の前壁の裏面に設けたストッパーに当接するとともに、器体の前壁から遠ざかった方の他端部が器体の内部に設けた別のストッパーに当接して、扉のスライド移動が規制され接触子挿入口が閉じたままとなるのであるが、部品寸法のばらつきによっては、器体の前壁の裏面に設けたストッパーに係止する扉の一端部と、器体の前壁の裏面との間隔が広がって、扉の端部がストッパーに係止しなくなる可能性があり、扉が開いてしまう虞もあった。
【０００５】
また上述した後者のコンセントでは、３極のコンセント口を構成する３個の栓刃挿入口を扉が閉塞している状態で、電圧極の栓刃が挿入される２個の栓刃挿入口を閉塞する扉の部位の外縁の位置が、器体の前面と平行な面内で電圧極の栓刃挿入口の内壁面と略同じ位置になっているので、部品寸法のばらつきによっては、扉の外縁と接触子挿入口の内壁面との間に異物が入り込み易くなる場合があり、扉の外縁と接触子挿入口の内壁面との間にピンなどの先端が細い異物を斜めに挿入して扉をこじると、扉が開いてしまう可能性があった。
【０００６】
本発明は上記問題点に鑑みて為されたものであり、その目的とするところは、部品寸法がばらついた場合でもピンなどの異物が挿入された時に扉が開のを確実に防止したコンセントを提供することにある。
【課題を解決するための手段】
【０００７】
上記目的を達成するために、請求項１の発明は、形状の異なる複数種類の接触子がそれぞれ挿入可能な２個の接触子挿入口からなるコンセント口が前壁に設けられた器体と、器体の内部に収納されて、接触子挿入口を通して挿入される接触子に接触導通する刃受け部材を含む充電部と、器体の内部に収納されて、２個の接触子挿入口を開閉自在に閉塞し且つ接触子挿入口に挿入される接触子によって開けられる扉と、器体の前壁の裏側面に対向するように器体内部に収納され、２個の接触子挿入口を結ぶ線と略直交し且つ器体の前面と略平行な方向において扉をスライド移動自在に支持する中枠とを備え、２個の接触子挿入口の中間部に対応する扉の部位に、スライド移動方向と略直交する平面内で中枠に対して揺動自在に支持される支点部を形成し、当該支点部を支点にして扉が傾いた時に、支点部を挟んだ扉の両端部の内、器体の前壁の裏面側に近付いた方の一端部と当接して扉のスライド移動を規制する第１の規制リブを器体の前壁の裏側面に設けて成り、支点部を支点にして扉が傾いた状態で第１の規制リブが当接する扉の部位と器体の前壁の裏側面との間隔の許容寸法範囲の最大値よりも、第１の規制リブの前記前壁の裏側面からの突出量をより大きな寸法に設定したことを特徴とする。
【０００８】
この発明によれば、片側の接触子挿入口のみにピンなどの異物を挿入した場合、扉の片側が異物で押されるために扉が支点部を支点にして傾き、支持部を挟んだ扉の両端部の内、器体の前壁の裏側面に近付いた方の一端部が器体の前壁の裏側面に設けた第１の規制リブに当接することで、扉のスライド移動を規制しているのであるが、支点部を支点にして扉が傾いた状態で第１の規制リブが当接する扉の部位と器体の前壁の裏側面との間隔の許容寸法範囲の最大値よりも、第１の規制リブの前壁の裏側面からの突出量をより大きな寸法に設定しているので、部品寸法のばらつきにより第１の規制リブが当接する扉の部位と器体の前壁の裏側面との間隔が広がったとしても、扉と第１の規制リブとを確実に係止させて、扉が開くのを防止することができる。
【０００９】
また請求項２の発明は、請求項１の発明において、上記支点部を支点にして扉が傾いた時に、支点部を挟んだ扉の両端部の内、器体の前壁の裏側面から遠ざかった方の他端部と当接して扉のスライド移動を規制する第２の規制リブを中枠における器体の前壁の裏側面と対向する面に設けたことを特徴とする。
【００１０】
この発明によれば、片側の接触子挿入口のみにピンなどの異物を挿入した場合、扉の片側が異物で押されるために扉が支点部を支点にして傾き、支持部を挟んだ扉の両端部の内、器体の前壁の裏側面に近付いた方の一端部が器体の前壁の裏側面に設けた第１の規制リブに当接するとともに、器体の前壁の裏側面から遠ざかった方の他端部が中枠に設けた第２の規制リブに当接するから、第１及び第２の規制リブによって扉の両端部を前後両側から挟むようにして保持することができ、ピンなどの異物で扉をこじるように押した場合でも、扉全体が後方に移動するから、中枠に設けた第２の規制リブで扉のスライド移動を規制して、扉が開くのを確実に防止することができる。
【００１１】
また更に、請求項３の発明は、接地極を含む３つの接触子がそれぞれ挿入される３個の接触子挿入口からなるコンセント口が前壁に設けられた器体と、器体の内部に収納されて、接触子挿入口を通して挿入される接触子に接触導通する刃受け部材を含む充電部と、器体の前面と略平行な方向においてスライド移動自在に支持され、３個の接触子挿入口を開閉自在に閉塞し且つ接触子挿入口に挿入される接触子によって開けられる扉とを備え、当該扉が接触子挿入口を閉塞している状態で、電圧極の接触子挿入口を閉塞する扉の部位に、器体の前面と平行な平面内で電圧極の接触子挿入口の内壁面よりも外側に突出する張出部を設けたことを特徴とする。
【００１２】
この発明によれば、扉が接触子挿入口を閉塞している状態で電圧極の接触子挿入口を閉塞する扉の部位に、器体の前面と平行な平面内で電圧極の接触子挿入口の内壁面よりも外側に突出する張出部を設けているので、接触子挿入口の内壁面の後端と扉との間にピンなどの異物を差し込んでも、異物の先端が張出部に当たるから、異物の先端で扉の外縁が押されて扉がこじ開けられるのを確実に防止できる。
【発明の効果】
【００１３】
以上説明したように、請求項１の発明では、片側の接触子挿入口のみにピンなどの異物を挿入した場合、扉の片側が異物で押されるために扉が支点部を支点にして傾き、支持部を挟んだ扉の両端部の内、器体の前壁の裏側面に近付いた方の一端部が器体の前壁の裏側面に設けた第１の規制リブに当接することで、扉のスライド移動を規制しているのであるが、支点部を支点にして扉が傾いた状態で第１の規制リブが当接する扉の部位と器体の前壁の裏側面との間隔の許容寸法範囲の最大値よりも、第１の規制リブの前壁の裏側面からの突出量をより大きな寸法に設定しているので、部品寸法のばらつきにより第１の規制リブが当接する扉の部位と器体の前壁の裏側面との間隔が広がったとしても、扉と第１の規制リブとを確実に係止させて、扉が開くのを防止できるという効果がある。
【００１４】
また請求項３の発明では、扉が接触子挿入口を閉塞している状態で電圧極の接触子挿入口を閉塞する扉の部位に、器体の前面と平行な平面内で電圧極の接触子挿入口の内壁面よりも外側に突出する張出部を設けているので、接触子挿入口の内壁面の後端と扉との間にピンなどの異物を差し込んでも、異物の先端が張出部に当たるから、異物の先端で扉の外縁が押されて扉がこじ開けられるのを確実に防止できるという効果がある。
【発明を実施するための最良の形態】
【００１５】
以下に本発明に係るコンセントの一実施形態について図１〜図８を参照して説明する。尚、以下の説明では特に断りがない限り、図２（ａ）に示す向きにおいて上下左右の方向を規定し、図２（ａ）の正面を前面とする。したがって、図２（ｂ）における下端は後端となる。
【００１６】
コンセントの器体１は、合成樹脂成型品のボディ２及びカバー３を合成樹脂製の組立部材４，４を用いて結合することにより形成され、器体１の前面には所謂ユニバーサルタイプのコンセント口５と、所謂Ｏタイプのコンセント口６とが１口ずつ設けられている。
【００１７】
ボディ２は前面が開口した略箱形であって、ボディ２の略中央には底部より立設された周壁７によって四方を囲まれ、後述するＯタイプの接地極用の導電部材２０ｃが収納される凹部８と、この凹部８の周りに底部より立設された隔壁９で仕切られて、ユニバーサルタイプの刃受２３及びＯタイプの電圧極用の刃受２４がそれぞれ収納される合計４つの収納凹所１０と、端子部２１が収納される２つの収納凹所１１，１１とが設けてある。またボディ２の長手方向に沿った両側面には、中央部において長手方向に並ぶ一対の嵌合部１２ａと、両端部に各々１つずつの嵌合部１２ｂとが突設されている。
【００１８】
一方、カバー３は後面が開口した略箱状であって、前面にはコンセント口５，６が長手方向に並べて設けられている。所謂ユニバーサルタイプのコンセント口５は、栓刃や導電ピン等の形状が異なる複数種類の接触子が挿入される２個の接触子挿入口５ａ，５ａからなり、各接触子挿入口５ａは平板状の栓刃や略円柱状の導電ピン等の種々の接触子に対応可能な形状、すなわち、栓刃が挿入される矩形孔５ｂと導電ピンが挿入される半円形孔５ｃとを一体に連通させた形状に形成してある。また、所謂Ｏタイプのコンセント口６は３個の接触子挿入口６ａ，６ｂ，６ｂからなり、各接触子挿入口６ａ，６ｂは平板状の栓刃に対応させて矩形に形成され、接地極の栓刃が挿入される接触子挿入口６ａの両側に残り（電圧極）の接触子挿入口６ｂ，６ｂが逆ハ字形に配置してある。
【００１９】
また、カバー３の長手方向に沿った両側面には、一対の嵌合部１２ａに対応する部位に一対の嵌合部１３ａが長手方向に並べて突設され、両端部には２つの嵌合部１２ｂに対応する部位に嵌合部１３ｂが１つずつ突設されている。そして、ボディ２とカバー３とが開口面側で突き合わされた状態で、ボディ２側の嵌合部１２ａ，１２ｂとカバー３側の嵌合部１３ａ，１３ｂとが前後方向に重なり合って当接する。尚、この状態で中央の嵌合部１２ａ，１３ａと両端の嵌合部１２ｂ，１３ｂとの間、並びに両端の嵌合部１２ｂ，１３ｂに対して中央の嵌合部１２ａ，１３ａと反対側の部位には、それぞれ組立部材４の係止脚１６が挿入される係止脚挿入口１４が開口する。
【００２０】
組立部材４は弾性を有する合成樹脂材料（例えば、ポリカーボネート樹脂）により薄い帯板状に形成され、中央部の各一対の嵌合部１２ａ，１３ａとそれぞれ個別に嵌合する一対の嵌合孔１５ａが長手方向中央部に並設されるとともに、両端部の嵌合部１２ｂ，１３ｂとそれぞれ嵌合する嵌合孔１５ｂが長手方向両端部に設けられている。また、ボディ２及びカバー３の側面に対向する組立部材４の背面側において係止脚挿入口１４と対向する位置には、先端に係止爪１６ａを有する係止脚１６が背方へ突設されており、各係止爪１６ａはそれぞれ互いに向き合う方向、つまり嵌合部１２ａ，１３ａ，１２ｂ，１３ｂに近付く向きに突出している。
【００２１】
而して、ボディ２とカバー３とを開口面側で突き合わせた状態で係止脚１６を係止脚挿入口１４に挿入するようにして組立部材４を器体１の長手方向両側面の方へ押しつければ、係止脚挿入口１４に挿入された係止脚１６の係止爪１６ａが係止脚挿入口１４の孔縁と係合し、中央の一対の嵌合部１２ａ，１３ａ及び両端の嵌合部１２ｂ，１３ｂがそれぞれ嵌合孔１５ａ，１５ｂと嵌合することで、ボディ２とカバー３が結合されて器体１が組み立てられる。
【００２２】
また端子部２１は、電線と接続される端子片２２と、この端子片２２に電線を圧接接続する鎖錠ばね２８と、端子片２２と電線との接続を外すために鎖錠ばね２８を圧接解除方向に撓ませる解除釦２９ａとを具備した速結端子構造を有している。ここで、本実施形態においては、端子部２１の端子片２２と、刃受け部材たる２種類の刃受２３，２４とを１枚の金属板を折曲することにより一体に形成して導電部材２０ａ，２０ｂを構成している。なお、２つの導電部材２０ａ，２０ｂは面対称に形成されており、互いに鏡像の関係にあるから、一方の導電部材２０ａについてのみ説明する。
【００２３】
金属板を折曲して形成される導電部材２０ａは平板状の基部２５を有し、基部２５の中央部の一側縁より一対の端子片２２が突設されるとともに、中央部の他側縁より一対の当接片２６が突設され、さらに基部２５の両側に２種類の刃受２３，２４が設けてある。そして、互いに対向する端子片２２，２２と当接片２６，２６の間にそれぞれ鎖錠ばね２８，２８を配置してある。
【００２４】
鎖錠ばね２８は、弾性を有する導電材料の帯板の両端部を曲成して中央片２８ｃの両端部に鎖錠片２８ａ及び接触片２８ｂが形成されてなる。鎖錠片２８ａは中央片２８ｃとの連結部位から先端縁に向かって端子片２２に近付く向きに傾斜し、接触片２８ｂは略Ｓ字形に曲成されている。また中央片２８ｃは略平板状に形成されていて当接片２６に当接する。而して、鎖錠ばね２８の鎖錠片２８ａ及び接触片２８ｂと導電部材２０ａの端子片２２との間にボディ２底部の電線挿入孔（図示せず）を通して電線が挿入されると、鎖錠片２８ａの先端が電線に食い込んで抜け止めがなされるとともに、鎖錠片２８ａ及び接触片２８ｂによって電線が端子片２２に圧接されることにより、電線と端子片２２との導通（接続）が図られる。なお、導電部材２０ａの端子部２１に対応する解除釦２９ａは、収納凹所１１内で一対の鎖錠ばね２８，２８の間に配置されており、ボディ２の底部に設けられる解除釦操作孔（図示せず）を通してドライバ等の治具により操作されて押し動かすことにより、鎖錠ばね２８の鎖錠片２８ａを圧接解除方向に撓ませ、鎖錠片２８ａの先端を電線から引き離して端子片２２と電線との接続を解除するものである。
【００２５】
またユニバーサルタイプの刃受２３は、図３に示すように基部２５の一端部より突設され、互いに対向する先端部にて栓刃を挟持する一対の刃受ばね２３ａと、一対の刃受ばね２３ａの側端間を結ぶ線よりも刃受ばね２３と離れた位置において前方に突設された刃受ばね２３ｂとを有している。また更にＯタイプの電圧極用の刃受２４は、図６（ａ）に示すように互いに対向する先端部にて栓刃を挟持する一対の刃受ばね２４ａが基部２５の他端部より突設されて構成される。
【００２６】
一方、Ｏタイプの接地極用の導電部材２０ｃは、接地極用の刃受け部材たる刃受２４’と、接地極用の端子部２１’とが板状の金属部材を折曲することによって一体に形成されており、ボディ２の略中央に形成された凹部８に収納される。この刃受２４’は、接触子挿入口６ａに挿入される接地極の栓刃に接触導通する一対の刃受ばね２４ａを備えている。また、端子部２１’は端子片２７ａ及び当接片２７ｂを備えて、鎖錠ばね２８，２８並びに解除釦２９ｂとともに速結端子を構成している。なお、刃受２４’並びに端子部２１’の構造は、導電部材２０ａ，２０ｂの刃受２４並びに端子部２１の構造とほぼ共通であるので、詳しい説明は省略する。
【００２７】
上述のように構成される導電部材２０ａ，２０ｂは、ボディ２の四隅に設けられた収納凹所１０に各々刃受２３，刃受２４を収納するとともに、ボディ２中央の左右両側に設けられた収納凹所１１に端子部２１を収納するようにしてボディ２に取り付けられる。なお、収納凹所１０，１１を仕切る隔壁９には導電部材２０ａ，２０ｂの基部２５が挿通されるスリット（図示せず）が設けてある。また、導電部材２０ｃはボディ２中央の凹部８に収納するようにしてボディ２に取り付けられる。そして、充電部たる導電部材２０ａ〜２０ｃをボディ２に収納した状態で、ボディ２の開口にカバー３を被せ、組立部材４を用いてボディ２とカバー３とを結合して器体１を構成すると、各刃受２３とカバー３の前面に設けられたコンセント口５の接触子挿入口５ａが対向するとともに、刃受２４，２４’とコンセント口６の接触子挿入口６ａ，６ｂとが対向することになる。
【００２８】
ここで本実施形態においては、ユニバーサルタイプのコンセント口５を構成する接触子挿入口５ａ，５ａを開閉自在に閉塞する扉３０と、Ｏタイプのコンセント口６を構成する接触子挿入口６ａ，６ｂを開閉自在に閉塞する扉４０と、ボディ２とカバー３との間に配設され、扉３０，４０をカバー３の内側に収納するようにしてスライド移動自在に支持する中枠５０とを備えている。
【００２９】
扉３０は合成樹脂成型品からなり、表面にコイルばね１７の一端部を収める収納部３６が設けられた主部３１と、主部３１の左右両側から側方に突出して接触子挿入口５ａ，５ａをカバー３の内側で閉塞する閉塞板部３２，３２とで構成される。扉３０の背面側（組込時に中枠１０５と対向する側）の略中央には突条形のスライド片３３が突設されており、さらにスライド片３３の左右両側にはスライド片３３よりも高さ寸法の低い（突出量の小さい）支持片３４，３４がスライド片３３と略平行に突設されている。また主部３１の収納部３６内にはコイルばね１７と係止する係止突片３６ａが突設されている。また更に、閉塞板部３２，３２の表面にはそれぞれ傾斜面３５，３５が形成されており、これらの傾斜面３５，３５は収納部３６の開口面側から前方に向けて傾斜している。そして、この扉３０は、カバー３の背面に形成されているばね受け突起１９にコイルばね１７の自由端を当接させた状態でカバー３に取り付けられる。
【００３０】
一方、扉４０は、接地極用の接触子挿入口６ａから挿入される接地極の栓刃のための挿通孔４１を有するとともに、一端側に傾斜面４２が形成され、且つ両側に傾斜辺が形成されている他端側にばね受け突起４３が立ち上げられている。また、扉４０の背面側で上記傾斜面４２が設けられた部分の裏側となるところには、補強用突部４４が設けられ、他端側にはガイド溝４５が設けてある。そして、この扉４０は、カバー３の背面に形成されているリブ４６，４６に傾斜面４２の部分をスライド移動自在に係合させるとともに、リブ４７，４７にばね受け突起４３の部分をスライド移動自在に係合させ、ばね受け突起４３とカバー３側のばね受け座４８との間にコイルばね１８が配置された状態でカバー３に取り付けられる。この時、扉４０の一対の傾斜辺が逆ハ字形に並ぶ接触子挿入口６ｂ，６ｂと略平行になるようにしてあるとともに、上記コイルばね１８による弾性付勢でカバー３の背面に形成された傾斜壁４９，４９に傾斜辺が当接することで、接触子挿入口６ｂ，６ｂが扉４０で閉塞された状態となる。
【００３１】
また、中枠５０は合成樹脂製であって矩形の主部５０ａを有する。この主部５０ａには、中央から一端側にかけてコンセント口６の接触子挿入口６ａ，６ｂ，６ｂに対応する位置に３つの栓刃挿通孔５１が設けられるとともに、他端側にはコンセント口５の接触子挿入口５ａ，５ａに対応する位置に２つの栓刃挿通孔５２が設けられる。また、カバー３の前壁裏面に対向する主部５０ａの表面には、扉４０の補強用突部４４がスライド移動自在に係合するスライドガイド溝５３が、接地極の栓刃に対応して略中央に設けられた栓刃挿通孔５１の周囲に凹設され、この栓刃挿通孔５１の端部近傍にコイルばね１８の浮きを抑えるための突部５４が突設されるとともに、扉４０のガイド溝４５にスライド移動自在に係合する突条形のガイドリブ５５が突設されている。さらに主部５０ａの表面には中央部の左右両側に扉４０の移動範囲を規制するストッパ５６が突設されている。また主部５０ａの表面の他端側には、栓刃挿通孔５２，５２の間に一対の突条５７ａが略平行に突設されて、これらの突条５７ａの間に扉３０のスライド片３３がスライド移動自在に係合するスライド溝５７が形成されており、さらに左右両側部には扉３０がスライド片３３を支点にして傾斜した場合に扉３０の左右両端部と係止する第２の規制リブ（以下規制リブという）５８，５８が突設されている。
【００３２】
而して、扉３０，４０や中枠５０が組み付けられたカバー３を、導電部材２０ａ，２０ｂ，２０ｃが組み込まれたボディ２と結合すれば、ユニバーサルタイプのコンセント口５を構成する接触子挿入口５ａ，５ａが扉３０で閉塞されるとともに、Ｏタイプのコンセント口６を構成する接触子挿入口６ａ，６ｂ，６ｂが扉４０で閉塞されることとなり、何れのコンセント口５，６からも充電部の露出がないものとなる。
【００３３】
次に、各コンセント口５，６にプラグを接続する際の扉３０，４０の動作について説明する。まずＯタイプのコンセント口６については、プラグの栓刃を接触子挿入口６ａ，６ｂに挿入すればよく、この時３極のうちの接地極の栓刃が扉４０の傾斜面４２を押し、コイルばね１８のばね力に抗して扉４０をスライド移動させることによって、扉４０で閉塞されていた接触子挿入口６ａ，６ｂが開かれ、栓刃が扉４０の挿通孔４１及び傾斜辺の側を通るとともに、中枠５０の３個の栓刃挿通孔５１を通じて導電部材２０ａ，２０ｂの刃受２４と導電部材２０ｃの刃受２４’とにそれぞれ接続される。
【００３４】
またユニバーサルタイプのコンセント口５についても、プラグの栓刃を接触子挿入口５ａ，５ａに挿入すればよく、接触子（栓刃）が平型栓刃の場合には接触子挿入口５ａの矩形孔５ｂに挿入された平型栓刃が、接触子（栓刃）がピン形栓刃の場合には接触子挿入口５ａの半円形孔５ｃに挿入されたピン形栓刃が、それぞれ扉３０の傾斜面３５，３５を押し、コイルばね１７のばね力に抗して扉３０をスライド移動させることにより、扉３０で閉塞されていた接触子挿入口５ａ，５ａが開かれ、接触子が中枠５０の栓刃挿通孔５２，５２を通って導電部材２０ａ，２０ｂの刃受２３に接続される。
【００３５】
ここで、扉３０は、中枠５０のスライド溝５７にスライド片３３を係合することによってスライド移動自在に支持されているのであるが、さらに長手方向（接触子挿入口５ａ，５ａを結ぶ線と平行な方向）についてはスライド片３３を支点としてシーソー動作自在となっている。そのため、図３〜図５に示すように片方の接触子挿入口５ａのみにピンなどの異物が挿入された場合には、扉３０の片側の傾斜面３５が押されることで、扉３０がスライド片３３を支点に中枠５０に対して傾き、支点部（スライド片３３）を挟んだ扉３０の両端部の内、カバー３の前壁の裏面側に近付いた方の一端部が、カバー３の前壁の裏側面に突設された第１の規制リブ（以下、規制リブという）３７と係止するとともに、カバー３の前壁の裏側面から遠ざかった方の他端部が、中枠５０の表面に設けた規制リブ５８に係止することで扉３０のスライド移動を規制して、扉３０が開くのを防止している。ここで本実施形態では、スライド片３３を支点にして扉３０が傾いた状態で、カバー３の規制リブ３７が当接する扉３０の部位とカバー３の前壁の裏側面との間隔の許容寸法範囲の最大値よりも、規制リブ３７のカバー３の前壁裏面からの突出量をより大きな寸法に設定しているので、部品寸法のばらつきによって規制リブ３７が当接する扉３０の部位とカバー３の前壁裏面との間隔が広がったとしても、扉３０と規制リブ３７とを確実に係止させて、扉３０が開くのを防止することができる。また本実施形態では、規制リブ３７のカバー３の前壁裏面からの突出量を上記許容寸法範囲の最大値よりも大きい寸法に設定し、且つ扉３０の一端部をカバー３の規制リブ３７に係止させるとともに、扉３０の他端部を中枠５０の規制リブ５８に係止させることによって、扉３０の両端部を前後両側から挟むようにして保持しているから、ピンなどの異物で扉３０をこじるように押した場合でも、扉３０全体が後方に移動することによって、中枠５０に設けた規制リブ５８で扉３０の移動を規制して、扉３０が開くのを確実に防止することができる。
【００３６】
また、本実施形態では図６（ａ）（ｂ）に示すように、扉４０が接触子挿入口６ａ，６ｂを閉塞している状態で、電圧極用の接触子挿入口６ｂ，６ｂを閉塞する扉４０の部位に、カバー３の前面と平行な平面内で電圧極の接触子挿入口６ｂの内壁面よりも約０．５ｍｍ程度外側に突出する張出部４０ａを設けており、接触子挿入口６ｂ，６ｂの内壁面の後端と扉４０との間にピンなどの異物を差し込んでも、異物の先端が張出部４０ａに当たるから、部品寸法がばらついたとしても、異物の先端で扉４０の外縁（すなわち張出部４０ａの外縁）が押されて扉４０がこじ開けられるのを確実に防止できる。
【図面の簡単な説明】
【００３７】
【図１】本実施形態のコンセントの分解斜視図である。
【図２】同上を示し、（ａ）は正面図、（ｂ）は下面図である。
【図３】同上を示し、図２のＤ−Ｄ断面図である。
【図４】同上を示し、（ａ）は図２のＡ−Ａ断面図、（ｂ）はＥ部拡大図である。
【図５】同上を示し、（ａ）は図２のＢ−Ｂ断面図、（ｂ）はＦ部拡大図である。
【図６】同上を示し、（ａ）は図２のＣ−Ｃ断面図、（ｂ）はＧ部拡大図である。
【図７】同上のカバーにコイルばね及び扉を組み込んだ状態の背面図である。
【図８】同上のカバーを示し、（ａ）は背面図、（ｂ）は側断面図である。
【符号の説明】
【００３８】
１    器体
３    カバー
５    コンセント口
５ａ  接触子挿入口
３０  扉
５０  中枠
【図１】
2005032595.tif 000003
【図２】
2005032595.tif 000004
【図３】
2005032595.tif 000005
【図４】
2005032595.tif 000006
【図５】
2005032595.tif 000007
【図６】
2005032595.tif 000008
【図７】
2005032595.tif 000009
【図８】
2005032595.tif 000010